(57)【特許請求の範囲】
【請求項１】
端部にフックを備え、素線またはストランドを複数本撚り合わせて形成された線状体であって、
前記素線またはストランドの少なくとも一つは、蛍光素材を含有して構成され、
前記フックに近づくにつれて前記蛍光素材の密度を大きくしたことを特徴とする発光線状体。
【請求項２】
前記蛍光素材を含有する素線又はストランドの撚り幅を、前記フックに近づくにつれて狭くすることで前記蛍光素材の密度を前記フックに近づくにつれて大きくしたことを特徴とする請求項１に記載の発光線状体。
【請求項３】
前記蛍光素材の含有量を前記フックに近づくにつれて多くすることで前記蛍光素材の密度を前記フックに近づくにつれて大きくしたことを特徴とする請求項１に記載の発光線状体。
【請求項４】
前記線状体は、作業者が着用する柱上安全帯に取り付ける柱上安全帯補助ロープであり、
一端部に、構造物に固定可能に形成された第１のフックを備え、
他端部に、前記柱上安全帯に固定可能に形成された第２のフックを備え、
前記第１のフックに近づくにつれて前記蛍光素材の密度を大きくしたことを特徴とする請求項１乃至３のいずれかに記載の発光線状体。
【発明の詳細な説明】
【技術分野】
【０００１】
本発明は、柱上安全帯に取り付けられた補助ロープ等に利用され、受光した光を反射又は蓄光した光を放出する機能を備えた発光線状体に関する。
【背景技術】
【０００２】
柱上安全帯補助ロープは、電柱等の構造物と作業者とを接続することで、作業者の高所からの落下を防止するものである。したがって、ロープが構造物に引っ掛かったり、ロープに縺れがあったりすると、作業者の落下時に適切に支えられないため危険である。
【０００３】
しかしながら、夜間の作業における柱上安全帯補助ロープの視認性が悪く、作業者がロープの引っ掛かりや、縺れに気づきにくい問題がある。
このため、柱上安全帯補助ロープを装着している作業者だけでなく、地上から別の作業者によって取付状態を確認することが行われているが、視認性の悪さにより確認に時間を要する問題もある。
このような夜間作業におけるロープの視認性の問題は、柱上安全帯補助ロープに限られたものではない。
【０００４】
そこで、従来、夜間作業におけるロープの視認性を改善するものとして、蛍光繊維を織り込んだものが提示されている（特許文献１参照）。
【先行技術文献】
【特許文献】
【０００５】
【特許文献１】特開２００１−２００４８３号公報
【発明の概要】
【発明が解決しようとする課題】
【０００６】
しかしながら、特許文献１を含む従来の蛍光素材を有するロープは、同文献の明細書の段落［００２６］及び図３（Ａ）、（Ｂ）に記載されているように、等間隔で蛍光素材が設けられているため、ロープの存在は把握できるものの、ロープ全体が均一に光るので、柱上安全帯補助ロープのフックがどこに固定されているか分かり辛く、またロープの縺れについても認識し難いという不都合がある。このため、作業者は、柱上安全帯補助ロープが適切な状態にあるかを確認し難いという問題がある。
【０００７】
そこで、本発明は係る事情に鑑みてなされたものであり、夜間においても確実にロープの取付状態を視認することが可能な発光線状体を提供することを主たる課題としている。
【課題を解決するための手段】
【０００８】
上記課題を達成するために、本発明に係る発光線状体は、端部にフックを備え、素線またはストランドを複数本撚り合わせて形成された線状体であって、前記素線またはストランドの少なくとも一つは、蛍光素材を含有して構成され、前記フックに近づくにつれて前記蛍光素材の密度を大きくしたことを特徴としている。
【０００９】
したがって、素線またはストランドの少なくとも１つは、蛍光素材で構成され、この蛍光素材は、フックに近づくにつれて密度が大きくなるので、夜間においてフック側がより明るく発光することになる。
このため、補助ロープの端部のフックがどこに固定されているかを容易に把握することができ、また、補助ロープの縺れについても容易に認識することができる。
【００１０】
また、蛍光素材を含有する素線又はストランドの撚り幅を、フックに近づくにつれて狭くすることで蛍光素材の密度をフックに近づくにつれて大きくするようにしてもよいし、蛍光素材の含有量をフックに近づくにつれて多くすることで蛍光素材の密度をフックに近づくにつれて大きくするようにしてもよい。
【００１１】
線状体は、作業者が着用する柱上安全帯に取り付ける柱上安全帯補助ロープであり、一端部に、構造物に固定可能に形成された第１のフックを備え、他端部に、柱上安全帯に固定可能に形成された第２のフックを備え、前記第１のフックに近づくにつれて前記蛍光素材の密度を大きくするようにしてもよい。
第１のフック側がより明るく発光することにより、柱上安全帯補助ロープの取付状態を容易に且つ、確実に確認することができる。
【発明の効果】
【００１２】
以上述べたように、本発明に係る発光線状体によれば、蛍光素材がフックに近づくにつれて密度を大きくされていることにより、夜間においてフック側がより明るく発光することになるため、夜間作業時の視認性が上がり、発光線状体の引っ掛かり、縺れに気づきやすくなる。また、作業責任者等の地上作業者からも柱上安全帯補助ロープの取付状態を確認することが容易となる。
【図面の簡単な説明】
【００１３】
【図１】図１は、実施例１に係る本発明の発光線状体を柱上安全帯に取り付けた状態を示す全体図である。
【図２】図２は、実施例１に係る本発明の発光線状体を示す全体図である。
【図３】図３は、第１のフックを構造物に取り付けた状態を示す斜視図である。
【図４】図４は、発光線状体を複数の素線を撚って構成した状態を示す図である。
【図５】図５は、実施例２に係る本発明の発光線状体を示す全体図である。
【発明を実施するための形態】
【実施例１】
【００１４】
以下、本発明に係る発光線状体１について、柱上安全帯補助ロープに使用した例について図面を参照しながら説明する。
【００１５】
図１において示すように、柱上安全帯２は、柱上安全帯補助ロープ１を接続するＤリング２０を備え、一端にバックルのオス側２１が、他端にバックルのメス側２２が設けられている。従って、バックルのオス側２１をメス側２２に差し込むことにより作業者の胴部に固定可能になっている。
【００１６】
このような柱上安全帯２に接続される柱上安全帯補助ロープ１は、図２及び３において示すように、素線を撚り合わせて形成されたロープ本体３の一端部に、電柱の腕金等の構造物４に固定可能に形成された第１のフック４ａを備え、他端部に、柱上安全帯２のＤリング２０に固定可能に形成された第２のフック４ｂを備えて構成されている。
【００１７】
第１のフック４ａは、板状に形成された本体部４０ａの先端側に形成された鉤部４１ａと、基端側に形成されたロープ取付孔４２ａとを有して構成されている。
鉤部４１ａは、構造物４やロープ本体３を挟持する一対の挟持片４３ａ，４４ａにより構成されるもので、連続した２回以上の操作を行わなければ挟持状態を解除することができない外れ防止機構４５ａが設けられている。
【００１８】
Ｕ字状に形成された一方の挟持片４３ａと、Ｕ字の開口部位を閉じるように形成された他方の挟持片４４ａと、は、互いに離接可能に本体部４０ａに固定されている。
ロープ取付孔４２ａは、ロープ本体３の径よりも大きく形成されたもので、ロープ本体３の摩耗を防止するためにシンブル（図示せず）が設けられている。
【００１９】
第２のフック４ｂは、板状に形成された本体部４０ｂの先端側に形成された鉤部４１ｂと、基端側に形成されたロープ取付部４２ｂとを有して構成されている。
鉤部４１ｂは、Ｕ字の板状に形成されたプレート部４３ｂと、Ｕ字の開口部位を閉じるように形成されたロック部４４ｂとから構成されている。
このロック部４４ｂは、連続した２回以上の操作を行わなければＵ字の開口部を閉じた状態を解除することができない外れ防止機構４５ｂを備えている。
【００２０】
ロープ取付部４２ｂは、ロープ本体３の径よりも大きく形成されたもので、よじれ防止のためにロープ本体３の軸方向に対して回転自在に形成され、ロープ本体３の摩耗を防止するためにシンブル（図示せず）が設けられている。
【００２１】
ロープ本体３は、図４に示すように、例えば、３本の素線３１を使用して撚り合わされて形成された３つのストランド３２ａ，３２ｂ，３２ｃを三つ打ち、Ｚ撚りにして、径を１０ｍ／ｍにして形成したものである。
【００２２】
ロープ本体３を構成する３つのストランド３２ａ，３２ｂ，３２ｃうち、の１つのストランド３２ｃは、蛍光素材３０で構成された３つの素線３１によって構成されている。
また、第１のフック４ａ及び第２のフック４ｂには、先端を折り返し、サツマ編み込みを３回行うことで取り付けられている（図示せず）。
【００２３】
蛍光素材３０は、蓄光性繊維、再帰反射繊維によって構成されるもので、図１にも示されるように、第１のフック４ａに近づくにつれて密度が大きくなるように設けられている。
具体的には、蛍光素材３０で構成されたストランドを、第１のフック４ａに近づくにつれて撚り幅が狭くなるように織ることで、蛍光素材３０の密度を第１のフック４ａに近づくにつれて徐々に高めるようにしている。
【００２４】
蓄光性繊維は、例えば、ＺｎＳ，ＣａＳ，Ａｌ２Ｏ３などを主成分とする蓄光性化合物を公知の方法で練り込んだ合成高分子化合物のチップから溶融紡糸して得た糸等から成る繊維である。
【００２５】
再帰反射繊維は、ポリエステルシート等の基板にアルミニウムを反射面として蒸着し、その上にガラスの微小球を敷きつめ、更に透明層を設けてガラスの微小球を封じ込めて製造した再帰反射シートを、各再帰反射面が夫々表裏となるように２枚張り合わせた後裁断することによって得た糸等からなる繊維である。
【００２６】
以上で説明した柱上安全帯補助ロープ１を使用する場合には、図３に示すように、第１のフック４ａを電柱の腕金等の構造物４に固定すると共に、第２のフック４ｂを作業者が着用する柱上安全帯２のＤリング２０に取り付ける。
【００２７】
したがって、本発明の発光線状体１によれば、蛍光素材３０の密度が第１のフック４ａに近づくにつれて大きくされていることにより、夜間において第１のフック４ａ側がより明るく発光又は反射することになるため、夜間作業時の視認性が上がり、柱上安全帯補助ロープ１の引っ掛かり、縺れに気づきやすくなる。また、作業責任者等の地上作業者からも柱上安全帯補助ロープ１の取付状態を確認することが容易となる。
【００２８】
なお、本実施例では、柱上安全帯補助ロープについて使用した例を説明したが、これには限定されず、種々の夜間作業に用いられるフックを端部に有する線状体に用いることができる。
【００２９】
また、本実施例では、３つのストランド３２ａ，３２ｂ，３２ｃのうちの１つのストランド３２ｃを構成する素線３１の全てを蛍光繊維３０にしてロープ本体３を構成したが、ロープ本体３を構成する編み方、撚り方に限定はなく、例えば、２以上のストランドを蛍光繊維３０にして構成することや、１つのストランドを構成する素線３１の一部のみを蛍光繊維３０にして構成することも可能である。
【実施例２】
【００３０】
上述の実施例においては、蛍光素材３０を含有する素線３１又はストランドの撚り幅を第１のフック４ａに近づくにつれて蛍光素材３０の密度を大きくする態様として例を示したが、図５において示されるように、第１のフック４ａに近づくほど蛍光素材の含有量を多くするように形成してもよい。
【００３１】
即ち、ロープ本体３を構成するストランドは、蛍光素材３０が混入して構成されており、第１のフック４ａに近づくにつれて蛍光素材３０の混入量が多くなるように形成されている。
【００３２】
この例においては、全てのストランド３２ａ，３２ｂ，３２ｃに対して蛍光素材３０を混入した例を示しているが、一部のストランド又は、ストランドを構成する一部の素線３１に対して蛍光素材３０を混入し、第１のフック４ａに近づくにつれて蛍光素材３０の混入量を多くするようにしてもよい。
【００３３】
なお、実施例１と同じ構成については、同一箇所に同一符号を付すことにより説明を省略する。
このような構成においても、前記構成例と同じように、夜間において第１のフック４ａ側がより明るく発光又は反射することになるため、夜間作業時の視認性が上がり、柱上安全帯補助ロープ１の引っ掛かり、縺れに気づきやすくなる。また、作業責任者等の地上作業者からも柱上安全帯補助ロープ１の取付状態を確認することが容易となる。
【符号の説明】
【００３４】
１  発光線状体（柱上安全帯補助ロープ）
２  ロープ本体
２０  蛍光素材
４ａ  第１のフック
４ｂ  第２のフック
４  構造物
５  柱上安全帯
【図１】
0006677903.tif 000002
【図２】
0006677903.tif 000003
【図３】
0006677903.tif 000004
【図４】
0006677903.tif 000005
【図５】
0006677903.tif 000006